(57)【要約】　　　（修正有）【課題】ユーザが、蓋の動きを阻止したとしても、モータから蓋に至る動力伝達機構が破損する虞のないディスクプレーヤを提供する。【解決手段】ディスクプレーヤは、ディスク３０が設置されるべきターンテーブル３と、ターンテーブル３上のディスク３０を覆う一対のドーム半体８１、８２と、一対のドーム半体８１、８２を開閉するための蓋開閉機構と、蓋開閉機構を駆動する原動機構とを具え、原動機構は、ローディングモータ４１と、ローディングモータ４１の回転を蓋開閉機構に伝える動力伝達機構とを具え、動力伝達機構には、動力伝達負荷の増大に応じて、ローディングモータ４１の回転とドーム半体８１、８２の開閉との間に相対的なずれを発生させるスプリングレバー７が介在している。【選択図】　　　図４
2004094984.tif 000002
【特許請求の範囲】
【請求項１】
ディスクが設置されるべきターンテーブル（３）と、ターンテーブル（３）上のディスクを覆う蓋と、蓋を開閉するための蓋開閉機構と、蓋開閉機構を駆動する原動機構とを具え、該原動機構は、ローディングモータ（４１）と、該ローディングモータ（４１）の回転を前記蓋開閉機構に伝える動力伝達機構とを具え、該動力伝達機構には、動力伝達負荷の増大に応じて、ローディングモータ（４１）の回転と蓋の開閉の間に相対的なずれを発生させる緩衝機構が介在していることを特徴とするディスクプレーヤ。
【請求項２】
前記動力伝達機構は、前記ローディングモータ（４１）によって往復駆動されるスライド（５）を具え、該スライド（５）上に前記緩衝機構となるスプリングレバー（７）が突設され、該スプリングレバー（７）はコイルスプリング（７０）によって構成され、該コイルスプリング（７０）の両端はスライド（５）の移動方向に対して直交する方向へ突出して、互いに平行に伸びる一対のアーム（７１）（７２）を形成しており、蓋は基端部にて開閉可能に枢支されると共に、該基端部に被駆動軸（８８）が突設され、前記スプリングレバー（７）の両アーム（７１）（７２）の間に、前記被駆動軸（８８）が挟持され、スプリングレバー（７）の両アーム（７１）（７２）の弾性変形による拡開によって、スライド（５）の往復移動と被駆動軸（８８）の回動との間に相対的なずれが発生する請求項１に記載のディスクプレーヤ。
【発明の詳細な説明】
【０００１】
【発明の属する技術分野】
本発明は、ディスクから信号を再生するディスクプレーヤに関し、特に、ターンテーブル上のディスクを覆う蓋がモータの駆動によって開閉するディスクプレーヤに関するものである。
【０００２】
【従来の技術】
従来、ディスクプレーヤにおいては、例えば、ディスクを支持するターンテーブルが一定の高さ位置に配備され、該ターンテーブル上のディスクを覆う円板状の蓋が、その端部を支点として上下方向に開閉可能に配備され、蓋を開くことによって、ターンテーブル上にディスクを載置したり、ターンテーブル上のディスクを取り出したりすることが可能となっている。
【０００３】
この様なディスクプレーヤにおいては、一般に蓋は開き方向にバネ付勢されており、ユーザがバネ付勢に抗して蓋を閉じると、該蓋は閉じ位置にロックされ、この状態からロック解除操作を行なうと、蓋はバネ付勢によって開くことになる。
【０００４】
【発明が解決しようとする課題】
ところで、上述の如く手動操作によって蓋を開閉するディスクプレーヤにおいては、蓋の開閉操作が面倒であるため、モータの駆動によって蓋を開閉することが検討されている。
しかしながら、モータの駆動によって蓋を開閉する構成においては、蓋の開き動作や閉じ動作においてユーザが蓋の動きを阻止したとすると、モータから蓋に至る動力伝達機構が破損する虞がある。
【０００５】
そこで本発明の目的は、蓋の開閉動作においてユーザが蓋の動きを阻止したとしても、モータから蓋に至る動力伝達機構が破損する虞のないディスクプレーヤを提供することである。
【０００６】
【課題を解決する為の手段】
本発明に係るディスクプレーヤは、ディスクが設置されるべきターンテーブル（３）と、ターンテーブル（３）上のディスクを覆う蓋と、蓋を開閉するための蓋開閉機構と、蓋開閉機構を駆動する原動機構とを具え、該原動機構は、ローディングモータ（４１）と、該ローディングモータ（４１）の回転を前記蓋開閉機構に伝える動力伝達機構とを具え、該動力伝達機構には、動力伝達負荷の増大に応じて、ローディングモータ（４１）の回転と蓋の開閉の間に相対的なずれを発生させる緩衝機構が介在している。
【０００７】
上記本発明のディスクプレーヤにおいては、ユーザが蓋を開くべき指令を与えた場合、ローディングモータ（４１）が一方向に回転して、該回転が動力伝達機構を経て蓋開閉機構に伝えられ、これによって蓋が開かれる。又、ユーザが蓋を閉じるべき指令を与えた場合、ローディングモータ（４１）が逆方向に回転して、該回転が動力伝達機構を経て蓋開閉機構に伝えられ、これによって蓋が閉じられる。
上記蓋の開閉動作において、ユーザが蓋の動きを阻止したとすると、動力伝達機構の動力伝達負荷が増大することによって、緩衝機構が動作し、ローディングモータ（４１）の回転が緩衝機構によって吸収されることになる。
【０００８】
具体的構成において、前記動力伝達機構は、前記ローディングモータ（４１）によって往復駆動されるスライド（５）を具え、該スライド（５）上に前記緩衝機構となるスプリングレバー（７）が突設され、該スプリングレバー（７）はコイルスプリング（７０）によって構成され、該コイルスプリング（７０）の両端はスライド（５）の移動方向に対して直交する方向へ突出して、一対のアーム（７１）（７２）を形成している。蓋は基端部にて開閉可能に枢支されると共に、該基端部に被駆動軸（８８）が突設され、前記スプリングレバー（７）の両アーム（７１）（７２）の間に、前記被駆動軸（８８）が挟持されている。そして、スプリングレバー（７）の両アーム（７１）（７２）の弾性変形による拡開によって、スライド（５）の往復移動と被駆動軸（８８）の回動との間に相対的なずれが発生する。
【０００９】
該具体的構成においては、ユーザが蓋を開くべき指令を与えた場合、ローディングモータ（４１）の駆動によってスライド（５）が一方向に移動して、該スライド（５）上のスプリングレバー（７）によって被駆動軸（８８）が一方向に駆動され、これによって蓋が開かれる。又、ユーザが蓋を閉じるべき指令を与えた場合、ローディングモータ（４１）の駆動によってスライド（５）が逆方向に移動して、該スライド（５）上のスプリングレバー（７）によって被駆動軸（８８）が逆方向に駆動され、蓋が閉じられる。
【００１０】
上記蓋の開閉動作において、ユーザが蓋の動きを阻止したとすると、動力伝達機構の動力伝達負荷が増大することによって、スプリングレバー（７）が弾性変形し、一方のアームが他方のアームに対して拡開して、ローディングモータ（４１）の回転がスプリングレバー（７）によって吸収されることになる。
【００１１】
【発明の効果】
本発明に係るディスクプレーヤにおいては、蓋の開閉動作においてユーザが蓋の動きを阻止したとしても、モータの回転が緩衝機構によって吸収されるので、モータから蓋に至る動力伝達機構が破損する虞はない。
【００１２】
【発明の実施の形態】
以下、本発明の実施の形態につき、図面に沿って具体的に説明する。
全体構成
本発明に係るディスクプレーヤは、図１〜図４に示す如く、メインシャーシ（１）上に、ターンテーブル台（３２）が昇降可能に配備されており、該ターンテーブル台（３２）には、図７に示す如く、ディスク（３０）を支持すべきターンテーブル（３）、該ターンテーブル（３）を回転駆動するディスクモータ（３１）、ディスク（３０）から信号を再生する光ピックアップ（３５）等が配備されている。
【００１３】
又、図１〜図４に示す如く、メインシャーシ（１）上には、ディスク（３０）を覆う蓋となるドーム（８）を構成する一対のドーム半体（８１）（８２）が、両端部を枢支されて、互いに接近離間する方向に回動可能に配備されており、ターンテーブル（３）上のディスク（３０）を覆う蓋を構成している。
尚、一対のドーム半体（８１）（８２）の回動軸は、一対のドーム半体（８１）（８２）の両端部の稍下方位置に設けられている。
【００１４】
図１及び図３の如く、ターンテーブル台（３２）が下降端に設置されると共に、一対のドーム半体（８１）（８２）が閉じた状態で、ターンテーブル（３）がディスクモータ（３１）によって回転駆動され、これによってディスク（３０）が回転している状態で、前記光ピックアップ（３５）がディスク（３０）の半径方向に移動して、信号が再生される。
又、図２及び図４の如く、ターンテーブル台（３２）が上昇端に設置されると共に、一対のドーム半体（８１）（８２）が開いた状態で、ターンテーブル（３）上のディスク（３０）を取り出し、或いはターンテーブル（３）上にディスク（３０）を載置することが出来る。
【００１５】
メインシャーシ（１）の裏面側にはサブシャーシ（２）が配備され、両シャーシ（１）（２）に跨って、一対のドーム半体（８１）（８２）を開閉するためのドーム開閉機構が配備されている。又、メインシャーシ（１）上には、ターンテーブル台（３２）を昇降移動させるためのテーブル昇降機構が配備されている。更に、サブシャーシ（２）上には、ドーム開閉機構及びテーブル昇降機構を駆動するための原動機構が配備されている。
【００１６】
テーブル昇降機構
図７に示す如く、メインシャーシ（１）上には第１スライド（６）が前後方向に摺動可能に配備され、メインシャーシ（１）に上向きに突設した４つのＴ字片（１５）（１６）（１７）（１８）が、第１スライド（６）の底面に開設した４本の水平案内溝（６３）（６４）（６５）（６６）に係合して、第１スライド（６）の摺動が案内されている。又、第１スライド（６）には、その両側面にそれぞれ２本の傾斜案内溝（６１）（６２）が開設されている。
メインシャーシ（１）には、第１スライド（６）を挟み込む左右一対の垂直壁（１９）（１９）が立設されており、各垂直壁（１９）には、垂直方向に伸びる前後一対の垂直案内溝（１１）（１２）が開設されている。
一方、ターンテーブル台（３２）には、左右の両側面に、前後一対の被駆動ピン（３３）（３４）が外向きに突設されており、該被駆動ピン（３３）（３４）が、第１スライド（６）の傾斜案内溝（６１）（６２）を貫通して、メインシャーシ（１）の垂直案内溝（１１）（１２）に嵌合している。
【００１７】
従って、第１スライド（６）を前後方向に駆動すると、第１スライド（６）の傾斜案内溝（６１）（６２）のカム作用とメインシャーシ（１）の垂直案内溝（１１）（１２）の案内作用によって、ターンテーブル台（３２）の被駆動ピン（３３）（３４）が上下方向に駆動されて、ターンテーブル台（３２）が昇降移動することになる。
【００１８】
ドーム開閉機構
図７に示す如く、左側のドーム半体（８１）には、前後方向に伸びる水平の回動軸上に一対の軸受け片（８５）（８５）が外向きに突設され、メインシャーシ（１）上には、該軸受け片（８５）（８５）に嵌合する一対の軸片（１３）（１３）が内向きに突設されている。同様に、右側のドーム半体（８２）には、前後方向に伸びる水平の回動軸上に一対の軸受け片（８６）（８６）が外向きに突設され、メインシャーシ（１）上には、該軸受け片（８６）（８６）に嵌合する一対の軸片（１４）（１４）が内向きに突設されている。
この様にして、一対のドーム半体（８１）（８２）は、軸片（１３）（１４）を中心に回動可能に支持されている。
【００１９】
又、各ドーム半体（８１）（８２）の一方の軸受け片（８５）（８６）の近傍位置には、図６に示す如く、開閉レバー（８３）（８４）が突設され、該開閉レバー（８３）（８４）の先端部には、被駆動軸（８７）（８８）が後方に向かって水平に突設されている。
一方、サブシャーシ（２）上には、図８に示す如く、左右一対の第２スライド（５）（５）が互いに接近離間する方向へ摺動可能に配備され、それぞれメインシャーシ（１）上に突設したガイド片（２２）（２３）によって摺動が案内されている。各第２スライド（５）上には、コイルスプリング（７０）からなるスプリングレバー（７）が設置されて、両アーム（７１）（７２）を上方へ向けて突出している。
尚、スプリングレバー（７）は、図１４に示す如く、自由状態で両アーム（７１）（７２）がＶ字状に開いており、組立時には、図１５に示す如く、両アーム（７１）（７２）を弾性に抗して交叉させ、この状態で、両アーム（７１）（７２）間に、開閉レバー（８４）の被駆動軸（８８）を挟み込む。これによって、開閉レバー（８４）の被駆動軸（８８）は、スプリングレバー（７）の両アーム（７１）（７２）によって常に挟持されることになる。
【００２０】
従って、図１１及び図１２に示す如く、第２スライド（５）を左右に駆動して、スプリングレバー（７）を左右に移動させることによって、開閉レバー（８４）の被駆動軸（８８）がスプリングレバー（７）によって駆動され、ドーム半体（８２）は、軸受け片（８６）を中心に回転することになる。
【００２１】
原動機構
図８に示す如く、サブシャーシ（２）の中央部には支軸（２１）が立設されており、該支軸（２１）によって、カムギア（４）が回転可能に支持されている。該カムギア（４）の表面には、第１カム溝（４２）が凹設されている。
一方、第１スライド（６）の裏面には、図７に示す如く第１カムフォロワー（６０）が下向きに突設され、該第１カムフォロワー（６０）は、メインシャーシ（１）の長孔（１０）を貫通して、その先端部が図８に示すカムギア（４）の第１カム溝（４２）に嵌合している。
従って、カムギア（４）が回転すると、カムギア（４）の第１カム溝（４２）によって第１スライド（６）の第１カムフォロワー（６０）が駆動され、第１スライド（６）が前後に移動することになる。この結果、前述の如くターンテーブル台（３２）が昇降駆動されるのである。
【００２２】
又、カムギア（４）の裏面には、図９に示す如く、一対の第２カム溝（４３）（４３）が凹設されている。
一方、図８の如く、一対の第２スライド（５）（５）上にはそれぞれ、第２カムフォロワー（５１）が上向きに突設されており、該第２カムフォロワー（５１）の先端部が図９に示すカムギア（４）の第２カム溝（４３）に嵌合している。
従って、カムギア（４）が回転すると、カムギア（４）の第２カム溝（４３）（４３）によって第２スライド（５）（５）の第２カムフォロワー（５１）（５１）が駆動され、図９及び図１０に示す如く、一対の第２スライド（５）（５）が互いに接近離間する方向に移動することになる。この結果、前述の如く一対のドーム半体（８１）（８２）が開閉駆動されるのである。
【００２３】
図７に示す如くメインシャーシ（１）上には、ローディングモータ（４１）が設置され、該ローディングモータ（４１）の出力軸には、図３に示す如く原動プーリ（４６）が取り付けられ、該原動プーリ（４６）はベルト（４４）を介してサブシャーシ（２）上の従動プーリ（４５）に連結されている。該従動プーリ（４５）には、ギア部（４７）が形成されており、該ギア部（４７）がカムギア（４）に噛合している。
従って、ローディングモータ（４１）が正逆に回転することによって、該回転がカムギア（４）に伝わって、図３及び図４に示す如く、一対のドーム半体（８１）（８２）の開閉駆動とターンテーブル台（３２）の昇降駆動が行なわれることになる。
【００２４】
第１カム機構及び第２カム機構
斯くして、カムギア（４）の第１カム溝（４２）とターンテーブル台（３２）の第１カムフォロワー（６０）によって、第１カム機構が構成されると共に、カムギア（４）の第２カム溝（４３）（４３）と第２スライド（５）（５）の第２カムフォロワー（５１）（５１）によって、第２カム機構が構成され、第１カム機構のカム曲線と第２カム機構のカム曲線の位相を互いにずらすことにより、ターンテーブル台（３２）の昇降とドーム（８）の開閉のタイミングが調整されている。
【００２５】
即ち、図１及び図３に示す如くターンテーブル台（３２）が下降端に設置されると共に、ドーム（８）が閉じられた状態から、ローディングモータ（４１）が起動すると、先ず、一対のドーム半体（８１）（８２）の開き動作が開始され、一対のドーム半体（８１）（８２）が半開きとなった状態から、ターンテーブル台（３２）の上昇動作が開始される。そして、一対のドーム半体（８１）（８２）が全開となるまでの過程で、ターンテーブル台（３２）が更に上昇し、最終的に図２及び図４に示す如くターンテーブル台（３２）が上昇端に達するのである。
【００２６】
逆に、図２及び図４に示す如く一対のドーム半体（８１）（８２）が全開となり、ターンテーブル台（３２）が上昇端に設置された状態から、ローディングモータ（４１）が逆転すると、先ず、ターンテーブル台（３２）の下降動作が開始され、ターンテーブル台（３２）が途中まで下降した時点で、ドーム半体（８１）（８２）の閉じ動作が開始され、最終的に、ターンテーブル台（３２）が下降端に達するまでの過程で、一対のドーム半体（８１）（８２）が更に閉じ、最終的に図１及び図３に示す如く一対のドーム半体（８１）（８２）が全閉となるのである。
【００２７】
尚、図１及び図２に示す如く、メインシャーシ（１）上には、一対のドーム閉検出スイッチ（９）（９１）が配備されており、これによって一対のドーム半体（８１）（８２）の閉じ状態が検出される。又、図９及び図１０に示す如く、カムギア（４）には、その回転角度に応じてオン／オフするモードスイッチ（９２）（９３）が配備されており、これによって、ターンテーブル台（３２）の昇降とドーム半体（８１）（８２）の開閉のモード遷移が検知される。
【００２８】
上記本発明のディスクプレーヤにおいては、図３及び図４に示す如く、ドーム（８）が閉じた状態でのターンテーブル（３）の高さ位置よりも、ドーム（８）が開いた状態でのターンテーブル（３）の高さ位置を高く設定しているので、ターンテーブル（３）上のディスク（３０）の取り出し、並びにターンテーブル（３）へのディスク（３０）の載置が容易となる。
【００２９】
又、上記本発明のディスクプレーヤにおいては、ドーム（８）を構成する一対のドーム半体（８１）（８２）がその両端部の稍下方位置にて枢支されているので、両ドーム半体（８１）（８２）は、開き動作の過程で、水平方向へ互いに離間しつつ下方へ移動して、ターンテーブル台（３２）上に広い空間を形成する。従って、両ドーム半体（８１）（８２）の開閉動作のために大きなスペースは不要であり、然も、開き動作のより早い時期にターンテーブル台（３２）の上昇を開始することが出来る。
この結果、ドーム半体（８１）（８２）の開き動作とターンテーブル台（３２）の上昇動作を同時に進めることの出来る期間が長くなって、ディスクの装填及び排出を短時間で完了することが可能となる。
【００３０】
更に、一対のドーム半体（８１）（８２）が開く過程で、例えば一方のドーム半体（８１）の開き動作を故意に妨害したとしても、図１３に示す如くスプリングレバー（７）のアーム（７１）が弾性変形して、第２スライド（５）の移動を許容するので、上述のドーム開閉機構や原動機構に無理な力が作用することはなく、機構の損傷が防止される。一対のドーム半体（８１）（８２）が閉じる過程で、故意にその閉じ動作を妨害した場合や、全開状態若しくは全閉状態の一対のドーム半体（８１）（８２）を、無理に閉じたり開いたりした場合も同様である。
【図面の簡単な説明】
【図１】本発明に係るディスクプレーヤのドーム閉じ状態の斜視図である。
【図２】該ディスクプレーヤのドーム開き状態の斜視図である。
【図３】該ディスクプレーヤのドーム閉じ状態の正面図である。
【図４】該ディスクプレーヤのドーム開き状態の正面図である。
【図５】該ディスクプレーヤのドーム閉じ状態の一部破断斜視図である。
【図６】該ディスクプレーヤのドーム開き状態の一部破断斜視図である。
【図７】該ディスクプレーヤの上半部の分解斜視図である。
【図８】該ディスクプレーヤの下半部の分解斜視図である。
【図９】ドーム閉じ状態のディスクプレーヤを裏面側から見た斜視図である。
【図１０】ドーム開き状態のディスクプレーヤを裏面側から見た斜視図である。
【図１１】ドーム閉じ状態のドーム開閉機構の斜視図である。
【図１２】ドーム開き状態のドーム開閉機構の斜視図である。
【図１３】ドーム開き動作を妨害したときの動作を示す斜視図である。
【図１４】自由状態のスプリングレバーの斜視図である。
【図１５】組立状態のスプリングレバーの斜視図である。
【符号の説明】
（１）　メインシャーシ
（２）　サブシャーシ
（３）　ターンテーブル
（３０）　ディスク
（３１）　ディスクモータ
（３２）　ターンテーブル台
（３５）　光ピックアップ
（４）　カムギア
（４１）　ローディングモータ
（４２）　第１カム溝
（４３）　第２カム溝
（６）　第１スライド
（６０）　第１カムフォロワー
（５）　第２スライド
（５１）　第２カムフォロワー
（７）　スプリングレバー
（８）　ドーム
（８１）　ドーム半体
（８２）　ドーム半体
（８３）　開閉レバー
（８４）　開閉レバー
【図１】
2004094984.tif 000003
【図２】
2004094984.tif 000004
【図３】
2004094984.tif 000005
【図４】
2004094984.tif 000006
【図５】
2004094984.tif 000007
【図６】
2004094984.tif 000008
【図７】
2004094984.tif 000009
【図８】
2004094984.tif 000010
【図９】
2004094984.tif 000011
【図１０】
2004094984.tif 000012
【図１１】
2004094984.tif 000013
【図１２】
2004094984.tif 000014
【図１３】
2004094984.tif 000015
【図１４】
2004094984.tif 000016
【図１５】
2004094984.tif 000017